(57)【要約】【課題】ジョイントの着脱が簡単であり、かつ安全な接続を確保する構造を有する医療用コネクターを提供する。【解決手段】２個以上の分岐ポート及び分岐ポートと貫通した出口を有するポート、チューブに接続可能で分岐ポートに着脱可能な長さ方向に貫通したジョイント、及び分岐ポートに取り付け可能なキャップから構成される医療用コネクターにおいて、分岐ポートは径方向に溝部とロック解除部を有し、かつジョイントは分岐ポートの溝部に係合する爪を有することを特徴とする医療用コネクター。、【選択図】  図１０
2004166830.tif 000002
【特許請求の範囲】
【請求項１】
２個以上の分岐ポート及び分岐ポートと貫通した出口を有するポート、チューブに接続可能で分岐ポートに着脱可能な長さ方向に貫通したジョイント、及び分岐ポートに取り付け可能なキャップから構成される医療用コネクターにおいて、分岐ポートは径方向に溝部とロック解除部を有し、かつジョイントは分岐ポートの溝部に係合する爪を有することを特徴とする医療用コネクター。
【発明の詳細な説明】
【０００１】
【発明の属する技術分野】
本発明は、体内に留置したカテーテルと体外の体液吸引集液器もしくは体液吸引集液器までの経路を延長するチューブに接続するための医療用コネクターに関するものである。
【０００２】
【従来の技術】
人体創腔からの体液を吸引排出するために体液吸引集液器を用いることは、従来からよく知られている。この場合、体液を排出誘導するためのカテーテルが創腔内挿入されて吸引集液器に接続されており、吸引集液器内に発生させた陰圧によって創腔内の体液が吸引集液器内に集積、貯留される（例えば特許文献１参照）  。
カテーテルと体液吸引集液器を接続する医療用コネクターとしては、２本以上のカテーテルに接続可能であり、体外側の雌コネクターに対してカテーテルに雄嵌合するジョイントを介在するタイプのものがある。このタイプの医療用コネクターでは種々のサイズのカテーテルに対して、ジョイントを交換するだけで体外側の雌コネクターに接続できるため、コスト面で大変有利である。また、２本以上のカテーテルを接続する場合には、それぞれの抜去時期が異なるため抜去後にジョイントを外し、雌コネクターにキャップを嵌めるようにした既製品がある。この既製品では雌コネクターの内側にリブを設けることで気密性を維持し、かつジョイントと雌コネクターの接触面積を減らすことにより手で抜き差しできる接続強度を実現している。しかし、使用時の負荷でその接続部分が外れてしまう可能性が残り、吸引不良の不具合や感染を引き起こす危険性も否定できない。
【０００３】
【特許文献１】特開昭５７−８１３４６号
【０００４】
【発明が解決しようとする課題】
本発明は、従来の医療用コネクターのこのような欠点を解決するもので、その目的とするところは、ジョイントの着脱が簡単であり、かつ安全な接続を確保する構造を有する医療用コネクターを提供することにある。
【０００５】
【課題を解決するための手段】
本発明は、
２個以上の分岐ポート及び分岐ポートと貫通した出口を有するポート、チューブに接続可能で分岐ポートに着脱可能な長さ方向に貫通したジョイント、及び分岐ポートに取り付け可能なキャップから構成される医療用コネクターにおいて、分岐ポートは径方向に溝部とロック解除部を有し、かつジョイントは分岐ポートの溝部に係合する爪を有することを特徴とする医療用コネクター、
である。
【０００６】
【発明の実施の形態】
以下、図面により本発明を具体的に説明する。図１は本発明の一実施例となる医療用コネクターのポートの正面図を示しており、図２は本発明の一実施例となる医療用コネクターのポートの平面図を示しており、図３は本発明の一実施例となる医療用コネクターのポートのＡ−Ａ側断端面図を示しており、図４は本発明の一実施例となる医療用コネクターのジョイントの外観図を示しており、図５は本発明の一実施例となる医療用コネクターのキャップの外観図を示しており、図６は本発明の一実施例となる医療用コネクターのポートとジョイントの接続状態を示す正面図を示しており、図７は本発明の一実施例となる医療用コネクターのポートとジョイントの接続状態を示す平面図を示しており、図８は本発明の一実施例となる医療用コネクターのポートとジョイントの接続状態から片方のジョイントを９０度回転させた状態を示す正面図を示しており、図９は本発明の一実施例となる医療用コネクターのポートとジョイントの接続状態から片方のジョイントを引き抜いた状態を示す外観図を示しており、図１０は本発明の一実施例となる医療用コネクターのポートの片方にジョイント、もう片方にキャップを取り付けた状態を示す外観図を示している。
【０００７】
本発明による医療用コネクターは、ポート（１）、ジョイント（１０）、キャップ（１６）からなっている（図１〜５）。
ポート（１）は、ジョイント（１０）を接続する２個以上の分岐ポート（２）、本体（３）、出口（４）からなっている（図１）。出口（４）には直接体液吸引集液器に接続する場合と、延長チューブ（５）を介して体液吸引集液器に接続する場合がある。
分岐ポート（２）は、ポート先端部（６）、ポート大径部（７）、溝部（８）、ロック解除部（９）からなっている（図１、２）。分岐ポート（２）へのジョイント（１０）挿入性向上のために、ポート先端部（６）からポート大径部（７）にかけて滑らかにテーパー状の傾斜をかけるのが好ましい。溝部（８）の径寸法はポート先端部（６）の外径以上であり、ロック解除部（９）は溝部（８）の一部を径方向に延長した形で設けられ、その径寸法はポート大径部（７）以上である。
ジョイント（１０）は、チューブ接続部（１１）、ポート接続部（１２）、ホルダー（１３）、腕（１４）、爪（１５）からなっている。チューブ接続部（１１）にはチューブ（１７）が取り付けられる。爪（１５）はホルダー（１３）からポート接続部（１２）側の長さ方向に突き出した腕の端部に設けられ、内側に突き出した形状となっている。爪（１５）はジョイント（１０）の中心軸に対称に一対設けてあり、爪（１５）の間隔はポート大径部（７）の外径よりも小さい。さらに爪（１５）の間隔はポート先端部（２）よりやや大きい方が好ましい。
【０００８】
使用方法としては、手術後の血液・滲出液のドレナージに使用する２本のドレーンチューブを接続する場合、まず、ジョイント（１０）をポート（１）の分岐ポート（２）に接続する。この時、ジョイント（１０）の爪（１５）がポート大径部（７）を乗り越えて、溝部（８）に嵌まり、長さ方向にチューブ（１７）を引っ張っても爪（１５）がポート大径部（７）に引っ掛かり抜けない状態となる。次にジョイント（１０）にチューブ（１７）を接続し、ドレナージを開始する（図６、７）。接続されたチューブ（１７）の片方を抜去する際には、ジョイント（１０）のホルダー（１３）を持って周方向に回転させて、爪（１５）をロック解除部（９）の位置に持ってくるようにする（図８）。このとき爪（１５）はポート大径部（７）の外径以上までせり上がるため、そのまま長さ方向に引っ張ることによりジョイント（１０）を抜くことができる（図９）。このように片方のジョイント（１０）を抜去した後にドレナージを継続するために開いた分岐ポート（２）にキャップ（１６）を嵌めて封止する。
【０００９】
【発明の効果】
本発明の医療用コネクターはジョイントの着脱が簡単であり、かつ安全な接続を確保する構造を有する有用な医療用コネクターである。
【図面の簡単な説明】
【図１】本発明の一実施例となる医療用コネクターのポートの正面図である。
【図２】本発明の一実施例となる医療用コネクターのポートの平面図である。
【図３】本発明の一実施例となる医療用コネクターのポートのＡ−Ａ側断端面図である。
【図４】本発明の一実施例となる医療用コネクターのジョイントの外観図である。
【図５】本発明の一実施例となる医療用コネクターのキャップの外観図である。
【図６】本発明の一実施例となる医療用コネクターのポートとジョイントの接続状態を示す正面図である。
【図７】本発明の一実施例となる医療用コネクターのポートとジョイントの接続状態を示す平面図である。
【図８】本発明の一実施例となる医療用コネクターのポートとジョイントの接続状態から片方のジョイントを９０度回転させた状態を示す正面図である。
【図９】本発明の一実施例となる医療用コネクターのポートとジョイントの接続状態から片方のジョイントを引き抜いた状態を示す外観図である。
【図１０】本発明の一実施例となる医療用コネクターのポートの片方にジョイント、もう片方にキャップを取り付けた状態を示す外観図である。
【符号の説明】
１        ポート
２        分岐ポート
３        本体
４        出口
５        延長チューブ
６        ポート先端部
７        ポート大径部
８        溝部
９        ロック解除部
１０      ジョイント
１１      チューブ接続部
１２      ポート接続部
１３        ホルダー
１４      腕
１５      爪
１６      キャップ
１７      チューブ
【図１】
2004166830.tif 000003
【図２】
2004166830.tif 000004
【図３】
2004166830.tif 000005
【図４】
2004166830.tif 000006
【図５】
2004166830.tif 000007
【図６】
2004166830.tif 000008
【図７】
2004166830.tif 000009
【図８】
2004166830.tif 000010
【図９】
2004166830.tif 000011
【図１０】
2004166830.tif 000012